(57)【特許請求の範囲】
【請求項１】
商用電源によって誘導灯用ランプを点灯させ、かつ、前記商用電源からの電力供給が途絶えるとバッテリに切り替えて前記誘導灯用ランプを点灯させると共に、前記商用電源によって前記誘導灯用ランプを点灯させているときに消灯を指示する消灯信号を入力すると前記誘導灯用ランプを消灯させる誘導灯において、
モニタ用の光源と、
前記消灯信号の有無を組み合わせた特定のパターンからなる特定パターン信号が入力されると、前記バッテリが所定時間以上充電されているか否かを判別し、前記特定パターン信号が再度入力されるまでの間、判別結果に対応する所定の発光モードで、前記モニタ用の光源と前記誘導灯用ランプとの少なくともいずれかを発光させる制御部と
を備えたことを特徴とする誘導灯。
【請求項２】
前記特定パターン信号は、
前記消灯信号が有の時間と前記消灯信号が無の時間とが繰り返される信号であることを特徴とする請求項１記載の誘導灯。
【請求項３】
前記誘導灯は、さらに、
前記バッテリに対する過去の点検結果を記憶する記憶部を備え、
前記制御部は、
前記特定パターン信号を入力すると、前記記憶部から前記点検結果を読み出し、前記点検結果に対応する所定の発光モードで、前記モニタ用の光源と前記誘導灯用ランプとの少なくともいずれかを発光させることを特徴とする請求項１、２のいずれかに記載の誘導灯。
【請求項４】
前記制御部は、
前記消灯信号の有無を組み合わせた特定のパターンからなる第２の特定パターン信号が入力されると、前記バッテリに対して、定格時間におけるバッテリ電圧が規定値以上かどうかを監視するバッテリ点検処理を実行することを特徴とする請求項３記載の誘導灯。
【請求項５】
前記第２の特定パターン信号は、
前記消灯信号が有の時間と前記消灯信号が無の時間とが繰り返される信号であることを特徴とする請求項４記載の誘導灯。
【請求項６】
前記制御部は、
前記バッテリ点検処理を実行すると、前記バッテリ点検処理による点検結果を前記記憶部に記憶させることを特徴とする請求項４、５のいずれかに記載の誘導灯。
【請求項７】
請求項１〜６のいずれかに記載の複数の誘導灯と、
前記複数の誘導灯の各誘導灯に、前記消灯信号と前記特定パターン信号とを送信する誘導灯用信号装置と
を備えたことを特徴とする誘導灯制御システム。
【発明の詳細な説明】
【技術分野】
【０００１】
この発明は、誘導灯などの非常点灯装置に関する。
【背景技術】
【０００２】
２００２年に消防法が改正され、消防設備などの基準が強化された。特に誘導灯に関しては点検時に規定の定格時間の非常点灯を確認することが必要となった。定格時間の非常点灯は、誘導灯１台あたり２０分または６０分必要であるが、作業者が１台ずつ非常点灯時間を確認していくことは、施設の規模が大きくなるほど負担となる。そのため、誘導灯の集中制御式自動点検システムに関する技術（例えば特許文献１）が開発され、商品化されるようになった。また、点検時期や前回の点検結果などについて集中制御室の画面に表示させることで、点検が必要な誘導灯がわかり、適切な点検を行うことができるシステムが提案されている。
【先行技術文献】
【特許文献】
【０００３】
【特許文献１】特開２００４−１１１３４７号公報
【発明の概要】
【発明が解決しようとする課題】
【０００４】
誘導灯の集中制御式自動点検システムは、建物を一括制御する制御盤が必要となり、さらに有線制御であるため、設置に大規模な工事が必要となるという課題があった。また、器具単体で点検する個別制御方式の点検の場合は、ボタン又はリモコンなどを利用して点検を開始するが、点検対象となる誘導灯が何らかの事情（瞬時停電やいたずら等）で規定時間（２４時間）充電が行われていない場合には、自動点検動作に移行できない。この為、点検を行うことができず、別の機会に再度点検を行わなければならない、という課題があった。
【０００５】
この発明は、制御盤を必要としないため大規模な工事が不要であり、また、点検可能かどうか、あるいは点検が必要かどうかを表示する誘導灯の提供を目的とする。
【課題を解決するための手段】
【０００６】
この発明の誘導灯は、
商用電源によって誘導灯用ランプを点灯させ、かつ、前記商用電源からの電力供給が途絶えるとバッテリに切り替えて前記誘導灯用ランプを点灯させると共に、前記商用電源によって前記誘導灯用ランプを点灯させているときに消灯を指示する消灯信号を入力すると前記誘導灯用ランプを消灯させる誘導灯において、
モニタ用の光源と、
前記消灯信号の有無を組み合わせた特定のパターンからなる特定パターン信号が入力されると、前記バッテリが所定時間以上充電されているか否かを判別し、前記特定パターン信号が再度入力されるまでの間、判別結果に対応する所定の発光モードで、前記モニタ用の光源と前記誘導灯用ランプとの少なくともいずれかを発光させる制御部とを備えたことを特徴とする。
【発明の効果】
【０００７】
本発明によれば、大掛かりな個別の有線配線や、誘導灯個々にアドレスを設けて管理するなどの手間無く、誘導灯に対する自動点検の事前確認が可能となる。
【図面の簡単な説明】
【０００８】
【図１】実施の形態１における誘導灯１０００のブロック図。
【図２】実施の形態１における誘導灯１０００の自動点検のフローチャート。
【図３】実施の形態１における消灯信号をベースとする特定パターン信号を示す図。
【図４】実施の形態１における誘導灯制御システムを示す図。
【図５】実施の形態１における誘導灯１０００の点検事前確認のフローチャート。
【図６】実施の形態１における誘導灯１０００の点検事前確認の表示パターンを示す図。
【発明を実施するための形態】
【０００９】
実施の形態１．
以下の実施の形態では、誘導灯１０００（非常用照明装置）を説明する。誘導灯１０００は、常用時に外部からの消灯を指示する消灯信号でランプ（誘導灯用ランプ）を消灯しつつ、バッテリの充電を継続する機能を有している。誘導灯用ランプの消灯は、省エネの為に、夜間や、室内等が無人になった際に行う事ができる。ただし、事前に所轄消防への届出と許可とが必要とされる。
【００１０】
消灯信号は、後述の誘導灯用信号装置２０００により制御されるが、元は防災管理室からの消灯信号であったり、施錠連動であったりする。また、消灯状態であっても、誘導灯用信号装置２０００は自動火災報知設備の信号を受けて動作するので、火災になった際には、誘導灯用信号装置２０００は消灯状態を解除し、無人であっても誘導灯を点灯させる。消灯信号は、大掛かりな個別の有線配線や、誘導灯個々にアドレスを設けて管理するなどの手間無く、電源配線と共に一般的に使用されるものである。
（１）この消灯信号のｏｎ／ｏｆｆパターンで、誘導灯用信号装置２０００から複数の誘導灯の個々に対して、点検予定である旨を通知する「点検事前信号」を送り、個々の誘導灯の表示面（誘導灯用ランプ）、充電モニタ５１０、点検モニタ５２０等で、点検可否及び前回点検結果の概要を表示するようにする。これにより、メンテナンスの際の利便を図る。
（２）また、この消灯信号をベースとする別のｏｎ／ｏｆｆパターンにより、一括して自動点検に移行できるようにする。
【００１１】
図１は、実施の形態１の回路構成を示す誘導灯１０００のブロック図である。誘導灯１０００は、表示面２００と、回路ユニット１００と、表示部５００と、自動点検スイッチ４００と、バッテリ３００と、を備える。
【００１２】
表示面２００は、ランプ２０１と、このランプ２０１によって照らされる表示板（図示しない）を有する。ランプ２０１は、放電灯、あるいは複数のＬＥＤからなる光源である。
【００１３】
回路ユニット１００は、ランプ２０１を点灯させる点灯回路１１０と、消灯検出部１５０と、制御回路１２０と、タイマー１３０と、記憶部１４０と、点検部１６０を備える。
【００１４】
点灯回路１１０は、電力変換回路１１１と、商用電源遮断回路１１２と、充電回路１１３を備える。点灯回路１１０は、商用電源またはバッテリから電力を供給してランプを点灯する。
【００１５】
電力変換回路１１１は、商用電源が供給されるときは、商用電源の交流電圧を直流電圧に変換し、ランプ２０１に供給する電力に変換し、商用電源が供給されないとき（後述する模擬停電状態を含む。）、バッテリ３００から給電されてランプ２０１に供給する電力に変換する。
【００１６】
商用電源遮断回路１１２は、バッテリ３００の点検動作時に商用電源からの電力を直接的または間接的に遮断する回路である。ここで、直接的に遮断するとは、商用電源からの供給ラインにスイッチなどを設けて遮断することをいう。また、間接的に遮断するとは、商用電源からの電力を直流電源などに変換する変換回路の動作を停止させて、バッテリ３００からの電力をランプ２０１へ供給するようにして、見かけ上、商用電源からの給電を遮断している状態（擬似停電状態）をいう。
【００１７】
充電回路１１３は、商用電源から給電されて、バッテリ３００を充電する。
点検スイッチ１１４は、手動で操作されたとき、商用電源遮断回路１１２に商用電源からの電力を直接的又は間接的に遮断する信号を出力する。
【００１８】
制御回路１２０は、表示判別回路１２１を備える。表示判別回路１２１は、ランプ２０１を消灯させる消灯信号を入力するとともに、消灯信号の有無を組み合わせた特定のパターンからなる点検事前信号によって、ランプ２０１、充電モニタ５１０、点検モニタ５２０及びランプモニタ５３０を所定の態様で発光させる表示信号を出力する。制御回路１２０は、他の構成要素を制御する機能を有する。制御回路１２０は例えばマイクロコンピュータである。制御回路１２０は、点灯回路１１０、タイマー１３０、記憶部１４０、消灯検出部１５０、点検部１６０等を制御する。
制御回路１２０は、商用電源遮断回路１１２を用いて、商用電源からの電力供給を、直接的または間接的に遮断する。また、制御回路１２０は、記憶部１４０に記憶されている点検結果を読み出すとともに、バッテリが所定時間以上充電されているか否かを判別し、判別結果、点検結果等をランプ、モニタ等を介して表示（発光）させる。
【００１９】
点検部１６０は、制御回路１２０からの制御を受けて、商用電源からの電力供給を直接的または間接的に遮断して、ランプ２０１をバッテリの電力によって点灯させ、所定時間経過後のバッテリの状態から、バッテリの良否を判定する。
【００２０】
表示部５００は、充電モニタ５１０と、点検モニタ５２０と、ランプモニタ５３０を備える。これらモニタは光源であり、例えばＬＥＤである。
【００２１】
自動点検スイッチ４００は、プッシュスイッチなどからなり、このプッシュスイッチが押されると、点検部１６０に自動点検を示す点検信号を出力する。この点検信号は、プッシュスイッチの長押しや、プッシュスイッチを押している時間を組み合わせたパターンなどによって生成された信号である。
【００２２】
次に、通常の誘導灯１０００の動作を説明する。商用電源（ＡＣ１００Ｖ）が通電されている時、誘導灯１０００（点灯装置、点灯回路）により、ランプ２０１を点灯し、表示面２００を光らせることで、避難口及び避難経路を示す。また、誘導灯１０００（点灯装置）に含まれる充電回路１１３を介してバッテリ３００を充電し、停電時に備えている。
【００２３】
このとき、バッテリ３００の充電中には、表示部５００において緑色の充電モニタ５１０を点灯させ、バッテリ３００が充電されている状態であることを表示している。また、点検モニタ５２０は通常消灯している。
【００２４】
誘導灯１０００には誘導灯用信号装置２０００からの信号を受ける消灯用端子６００がある。消灯用端子６００には通常の点灯時はＡＣ１００Ｖが印加されている。
【００２５】
（消灯信号を受信の場合）
ここで、誘導灯１０００が誘導灯用信号装置２０００から消灯信号を発信すると、消灯用端子６００にはＡＣ１００Ｖが無くなる。消灯検出部１５０はそれを検出する。誘導灯１０００は、制御回路１２０が消灯検出部１５０の検出結果に基づき、ランプ２０１を消灯する制御を点灯回路１１０に対して実行する。以上の動作によって省エネを図りつつ、バッテリ３００の充電を継続する。この場合、バッテリ３００は充電中なので、充電モニタ５１０は点灯している。また、点検モニタ５２０は消灯している。
【００２６】
このとき停電になると点灯回路１１０あるいは消灯検出部１５０（どちらが検出してもよい）が停電を検出する。この停電検出に基づき、制御回路１２０は、点灯回路１１０を制御することによって、消灯信号の有無にかかわらず、バッテリ３００を電源としてランプ２０１を点灯し、避難口および避難経路を示す。
【００２７】
充電モニタ５１０は、バッテリ３００の放電中であるから、消灯し、点検モニタ５２０も消灯している。
【００２８】
停電から復帰し、電源ＡＣ１００Ｖが印加されれば、また通常の動作（消灯しつつ充電を継続する）に戻る。
【００２９】
次に、自動点検スイッチ４００の操作が行われることで開始する、通常の自動点検動作について説明する。
図２は、通常の自動点検動作を示すフローチャートである。
【００３０】
（点検の前提条件）
制御回路１２０は、バッテリ３００が２４時間以上継続的に充電された状態であるかどうかを判定する。バッテリ３００が２４時間以上継続的に充電された状態である場合は、自動点検が可能な状態になる。２４時間以上継続的に充電とするのは、バッテリ３００が２４時間以上充電されていないのに自動点検動作に移行した場合、充電時間が短かったために規定の時間放電することができず、良品のバッテリ３００も異常と誤判定されるのを防ぐためであり、基準で決まっている。
【００３１】
常用点灯では、誘導灯１０００は商用電源でランプ２０１を点灯させている（Ｓ１１）。点検作業者が、自動点検スイッチ４００を所定の操作をすることで、制御回路１２０は点検を開始する。すなわちＳ１２において、制御回路１２０は、自動点検スイッチ４００の操作による自動点検信号を検出する。具体的には、点検部１６０が自動点検スイッチ４００の所定の操作を検出し、検出結果を制御回路１２０に出力する。
【００３２】
自動点検スイッチ４００の操作方法は、各メーカーによって若干異なっているが、ここではそれは問題とならない。
【００３３】
Ｓ１３において、制御回路１２０は、バッテリ３００が２４時間以上充電されているかどうかを判別する。２４時間充電されているかどうかの情報は記憶部１４０に記憶されている。この情報は、充電回路１１３による充電の際に、制御回路１２０がタイマー１３０を用いてすでに計測している。制御回路１２０は、バッテリ３００が２４時間以上充電されていると判断すると（Ｓ１３のｙｅｓ）、自動点検処理を開始する（Ｓ１４）。
【００３４】
制御回路１２０は自動点検モードに移行すると（Ｓ１４）、商用電源遮断回路１１２を用いて商用電源からの電力供給を遮断し、バッテリ３００により、ランプ２０１を非常点灯させる。このとき、充電モニタ５１０は消灯し、点検モニタ５２０はモニタの点滅などの点検中である旨の表示を行う（Ｓ１５）。
【００３５】
制御回路１２０は、自動点検モードでは、バッテリ電圧が規定値以上かどうかを継続して監視する（Ｓ１６）。定格時間に満たないうちにバッテリ電圧が規定値に達していないと判定するとＳ１９に進み、制御回路１２０は、バッテリ３００異常・バッテリ３００寿命と判断し、点検をその時点で終了し、常用点灯モードに自動的に復帰する。復帰すると、制御回路１２０は、バッテリ３００が異常・寿命であるので充電モニタ５１０を点滅し、点検作業者にバッテリ３００の状態を知らしめバッテリ３００交換を促す。制御回路１２０は点検モニタ５２０は消灯させる。また、制御回路１２０は、点検結果を記憶部１４０に格納する。この場合、点検結果とは、「電池異常」（後述の図６の行４に対応）を意味する。
【００３６】
一方、Ｓ１６で監視の間、バッテリ電圧が規定値以上の場合は、制御回路１２０は、タイマー１３０を用いた計測により、定格時間（２０分または６０分）が経過するまでバッテリ点灯を継続し、定格時間が経過した時点で常用点灯モードに自動的に復帰する（Ｓ１７，Ｓ１８）。制御回路１２０は、バッテリ３００が正常であれば、充電モニタ５１０を点灯し、また点検モニタ５２０は消灯し、通常の動作となる（Ｓ１８）。制御回路１２０は、点検結果を記憶部１４０に格納する。この場合、点検結果とは、「点検良好」（後述の図６の行１に対応）、あるいは「余裕なし」（後述の図６の行２に対応）の場合がある。「余裕なし」とは、バッテリ電圧は定格時間の点灯中の間、規定値以上ではあるが、規定値ぎりぎりで、「規定値＋余裕幅ΔＶ」以上の電圧値が好ましいとした場合、バッテリ電圧がΔＶの範囲内にあるような場合である。「点検良好」とは、バッテリ電圧が「規定値＋余裕幅ΔＶ」以上のような場合である。
【００３７】
以上が図２に示す、通常の自動点検シーケンスである。
【００３８】
（特定パターン信号）
図３は、誘導灯用信号装置２０００の送信する消灯信号の有無を組み合わせた特定のパターンからなる「特定パターン信号」を示した図である。つまり「特定パターン信号」は、消灯信号のｏｎ／ｏｆｆパターンである。図３の１１は、特定パターン信号のうち、点検事前信号を示す。図３の１２は、特定パターン信号のうち、一括点検信号を示す。
「点検事前信号」とは、後述するが、誘導灯用信号装置２０００から誘導灯１０００（制御回路１２０）に対して、これから点検処理を行うことを事前に通知する信号である。
また、「一括点検信号」とは、後述するが、誘導灯用信号装置２０００から誘導灯１０００（制御回路１２０）に対して、自動点検の開始を指示する信号である。
図４は、誘導灯用信号装置２０００と複数の誘導灯１０００とからなる点灯制御システムを示す図である。上記の「特定パターン信号」（点検事前信号及び一括点検信号）は、図４に示すシステムのように、１台の誘導灯用信号装置２０００から、例えば誘導灯１０００−１〜誘導灯１０００−６のように複数台の誘導灯に「特定パターン信号」を送信することを想定している。
【００３９】
誘導灯用信号装置２０００からそれぞれの誘導灯１０００に点検事前信号を送信することによって、各誘導灯１０００が点検可能な状態であるかどうかを各誘導灯１０００に表示させることで、点検可能な状態であるかどうかを個別に確認する事ができる。
【００４０】
もちろん、この点検事前信号の送信は、防災管理者が発信するものであり、日中の人が多いときなどを避け、夜間などに送信する事が望ましい。
【００４１】
例えば、図３の１１に示すように消灯信号のｏｎ／ｏｆｆパターンが、３秒ｏｎ、３秒ｏｆｆを３回繰り返した場合は、制御回路１２０は、この特定パターン信号を点検事前信号と判断し、それぞれの誘導灯１０００は、各制御回路１２０が各誘導灯の状態（バッテリの充電状態）を表示する。このｏｎ／ｏｆｆパターンは人が手動で操作してもよい。この場合、ｏｎ，ｏｆｆを制御回路１２０が判別できるような間隔と回数である事が重要である。
【００４２】
図５は、点検事前信号を受信した場合の誘導灯のシーケンスである。
図６は、誘導灯１０００の点検事前確認の表示パターンを示す図である。図５、図６を参照して、この場合の動作を説明する。Ｓ２１において、制御回路１２０はランプ２０１を常用点灯している。制御回路１２０は、消灯検出部１５０を介して点検事前信号を受信したことを検知すると（Ｓ２２のｙｅｓ）、バッテリ３００が２４時間以上充電されているかどうかを判別する（Ｓ２３）。充電時間が２４時間に満たないと判別すると（Ｓ２３のｎｏ）、制御回路１２０は、判別結果に対応する所定の発光モードで、モニタ用光源とランプ２０１との少なくともいずれかを発光させる（Ｓ２９）。Ｓ２９の例では、制御回路１２０は、充電時間不足を示す表示（図６の行３に対応）として、ランプ２０１を点滅（３０分間）させ、かつ、充電モニタ５１０を点灯させる。
【００４３】
一方、制御回路１２０は、充電時間が２４時間以上と判別すると（Ｓ２３のｙｅｓ）、バッテリ電圧が規定値以上かどうかを判別する（Ｓ２４）。バッテリ電圧が規定値に満たないと判別すると（Ｓ２４のｎｏ）、制御回路１２０は、この判別結果に対応する所定の発光モードで、モニタ用光源とランプ２０１との少なくともいずれかを発光させる（Ｓ３０）。Ｓ３０の例では、制御回路１２０は、自動点検不可（バッテリ電圧不足のため）を示す表示（図６の行４に対応）として、ランプ２０１を点滅（３０分間）させ、かつ、充電モニタ５１０を点滅させる。
【００４４】
制御回路１２０は、バッテリ電圧が規定値以上と判別すると（Ｓ２４のｙｅｓ）、自動点検可能の表示処理を開始し（Ｓ２５）、Ｓ２６に進む。
【００４５】
Ｓ２６において、制御回路１２０は、前回の点検結果において、バッテリ３００の電圧に余裕があったかどうかを判別する。前回の点検結果は、図２で述べたように記憶部１４０に記憶されている。制御回路１２０は、記憶部１４０から前回の点検結果を読み出し、前回の点検結果に対応する所定の発光モードで（Ｓ２７、またはＳ３１）、モニタ用光源とランプ２０１との少なくともいずれかを発光させる。すなわち、図５の例では、制御回路１２０は、前回の点検結果が良好と判別すると（Ｓ２６のｙｅｓ）、ランプ２０１を点灯させ、かつ、充電モニタ５１０及び点検モニタ５２０を点灯させる（図６の行１に対応）（Ｓ２７）。また、図５の例では、制御回路１２０は、前回の点検結果が「余裕なし」と判別すると（Ｓ２６のｎｏ）、ランプ２０１を点灯させ、かつ、充電モニタ５１０を点滅させ、点検モニタ５２０を点灯させる（図６の行２に対応）（Ｓ３１）。その後、制御回路１２０は、Ｓ２８に進み、常用点灯モードに復帰する。各モニタの表示状態は、各誘導灯の状態による。
【００４６】
以上のように、点検事前信号の送信により、誘導灯１０００に設けられているバッテリ３００の充電状態を示す表示部５００（充電モニタ５１０）と、点検の状態を示す表示部５００（点検モニタ５２０）と、ランプ２０１とにより、バッテリ３００が点検可能か、また前回の点検結果が、どのような状態であったかを表示する構成とした。この構成によって、自動点検に移行する際に誤って点検スイッチを押下し、折角２４時間充電したのにも関わらず無意味な放電をしてしまうようなことを避けることができる。
【００４７】
なお、日中の人が多いときには、点検事前信号を受け付けないように、受付時間を夜間の２０：００以降に限って受け付けるようにすることもできる。具体的には、タイマー１３０が時計機能を兼ねており、制御回路１２０は、受付可能として予め設定された時間帯に受信した点検事前信号に応答する構成とする。
【００４８】
また、この点検事前確認の信号解除は、同様の信号を再度送信する事で元の状態に戻るものとする。この場合、信号発信から信号解除の間隔は数分以上（例えば３分）後に受け付けるように設定する。
【００４９】
さらに、制御回路１２０の内部に、電波時計の機能を備えることで、時間の精度を高めることができる。
【００５０】
（一括点検信号）
次に、図３で示した一括点検信号の場合を説明する。制御回路１２０は、消灯信号のｏｎ／ｏｆｆパターンを変えた一括点検信号を受信すると、自動点検に移行する機能を有する。すなわち、一括点検信号を受信した場合は、自動点検スイッチ４００が操作されたのと同等の効果がある。このように、一台の誘導灯用信号装置２０００から複数の誘導灯に一括点検信号を送信することで、一度に複数の誘導灯の点検が可能となる。よって、個々の誘導灯の自動点検スイッチを押したり、リモコンで自動点検に移行させたりする必要が無く、作業員は、自動点検の終了後に復帰状態を確認するだけで点検が完了する。
【００５１】
動作としては、制御回路１２０は、一括点検信号（第２の特定パターン信号）を入力すると、バッテリ３００に対して予め定められたバッテリ点検処理を実行する。また、制御回路１２０は、バッテリ点検処理を実行すると、バッテリ点検処理による点検結果を記憶部１４０に格納する。
【００５２】
一括点検信号の場合は、信号の解除は無く、点検の終了時間は各々の誘導灯に内蔵しているタイマー１３０で終了するのは、普通の自動点検と同じである。あらかじめ誘導灯の状態が概略分っていれば、準備する交換用バッテリ３００も準備がでる。
【００５３】
器具の状態確認、ランプの状態、外観の清掃などを行なう必要があるので、遠隔操作だけでの点検は本来完了しない。如何にして待ち時間や往復の手間を省く事ができるかを、考えると遠くからでも概略の状態を確認でき、最終的な確認は１度だけ各誘導灯の真下に行けばよい。
【符号の説明】
【００５４】
１０００  誘導灯、１００  回路ユニット、１１０  点灯回路、１１１  電力変換回路、１１２  商用電源遮断回路、１１３  充電回路、１１４  点検スイッチ、１２０  制御回路、１２１  表示判別回路、１３０  タイマー、１４０  記憶部、１５０  消灯検出部、１６０  点検部、２００  表示面、２０１  ランプ、３００  バッテリ、４００  自動点検スイッチ、５００  表示部、５１０  充電モニタ、５２０  点検モニタ、５３０  ランプモニタ、６００  消灯用端子、１０００  誘導灯、２０００  誘導灯用信号装置。
【図１】
0005582900.tif 000002
【図２】
0005582900.tif 000003
【図３】
0005582900.tif 000004
【図４】
0005582900.tif 000005
【図５】
0005582900.tif 000006
【図６】
0005582900.tif 000007